(57)【要約】【課題】オイルパンに流れ込んだ作動油中の異物をストレーナの濾材に達するまでに磁石の磁力により良好に捕捉する。【解決手段】複数の油路を有するバルブボディ２１と、バルブボディ２１に組み込まれるソレノイドバルブ３０と、バルブボディ２１の下方に配置されて作動油を貯留するオイルパン６０と、バルブボディ２１とオイルパン６０との間に配置されると共にオイルパン６０から吸引される作動油を濾過する濾材を有するストレーナ７０とを備えた油圧制御装置２０では、ストレーナ７０のオイルパン６０側の面に複数の磁石４０が固定される。【選択図】図１
2011208779.tif 000002
【特許請求の範囲】
【請求項１】
複数の油路を有するバルブボディと、該バルブボディに組み込まれるソレノイドバルブと、前記バルブボディの下方に配置されて作動油を貯留するオイルパンと、前記バルブボディと前記オイルパンとの間に配置されると共に該オイルパンから吸引される作動油を濾過する濾材を有するストレーナとを備えた油圧制御装置であって、
前記ストレーナの前記オイルパンと対向する面には、磁石が固定されることを特徴とする油圧制御装置。
【請求項２】
前記ストレーナの前記磁石が固定される部分は、磁性体により形成されていることを特徴とする請求項１に記載の油圧制御装置。
【請求項３】
請求項１または２に記載の油圧制御装置において、
前記ストレーナは、前記濾材を収容するハウジングを有し、
前記ハウジングの前記オイルパン側の部分は、該オイルパンと対向するように形成された凹部を含み、
前記磁石は、前記凹部内に固定されることを特徴とする油圧制御装置。
【請求項４】
請求項３に記載の油圧制御装置において、
前記凹部は、前記ハウジング内に突出する凸部を形成し、該凸部が前記ストレーナの前記濾材と当接することを特徴とする油圧制御装置。
【請求項５】
請求項１から４の何れか一項に記載の油圧制御装置において、
前記磁石は、前記オイルパンへの作動油流入部と前記ストレーナの作動油入口とを結ぶ直線上に配置されることを特徴とする油圧制御装置。
【発明の詳細な説明】
【技術分野】
【０００１】
本発明は、複数の油路を有するバルブボディと、バルブボディの下方に配置されて作動油を貯留するオイルパンと、バルブボディとオイルパンとの間に配置されると共にオイルパンから吸引される作動油を濾過する濾材を有するストレーナとを備えた油圧制御装置に関する。
【背景技術】
【０００２】
従来、この種の油圧制御装置としては、制御バルブが組付けられたバルブボディと、バルブボディに付与される油を収容するオイルパンと、オイルパンの内部に配設されると共に側壁に設けられた開口部でオイルパンと連通し、オイルパンから吸い上げられる油を濾過する濾材（フィルタ）を有するストレーナ装置と、ストレーナ装置の底部かつオイルパンと連通する開口部とは逆側の側壁近傍に配置された磁石と備えるものが提案されている（例えば、特許文献１参照）。この油圧制御装置では、ストレーナ装置の底部を開口部側から磁石が配置される側の側壁に向けて下降傾斜させることにより、油中の夾雑物が磁石側へと押流されるようにして夾雑物を磁石に効果的に吸着させ、夾雑物によるフィルタの目詰まりを防止している。
【先行技術文献】
【特許文献】
【０００３】
【特許文献１】特開昭５８−９４６７１号公報
【発明の概要】
【発明が解決しようとする課題】
【０００４】
しかしながら、上述の油圧制御装置のように、ストレーナ装置の内部に磁石を配置した場合、ストレーナ装置内部の磁石により油中の夾雑物を十分に捕捉しきれず、濾材の目詰まりが生じたり、ストレーナ装置からオイルポンプにより吸引される作動油に夾雑物が残留したりするおそれがある。
【０００５】
本発明の油圧制御装置は、オイルパンに流れ込んだ作動油中の異物をストレーナの濾材に達するまでに磁石の磁力により良好に捕捉することを主目的とする。
【課題を解決するための手段】
【０００６】
本発明の油圧制御装置は、上述の主目的を達成するために以下の手段を採った。
【０００７】
本発明の油圧制御装置は、
複数の油路を有するバルブボディと、該バルブボディに組み込まれるソレノイドバルブと、前記バルブボディの下方に配置されて作動油を貯留するオイルパンと、前記バルブボディと前記オイルパンとの間に配置されると共に該オイルパンから吸引される作動油を濾過する濾材を有するストレーナとを備えた油圧制御装置であって、
前記ストレーナの前記オイルパンと対向する面には、磁石が固定されることを特徴とする。
【０００８】
本発明の油圧制御装置では、オイルパンからの作動油を濾過するためのストレーナのオイルパンと対向する面（オイルパン側の面）に磁石が固定される。これにより、オイルパンに流れ込んだ作動油中の異物をオイルパン内で磁石の磁力でより良好に吸引して捕捉することができる。また、磁石の磁力がストレーナの内部にも作用する場合には、ストレーナ内の作動油に含まれる金属粉といった異物も磁石の磁力により吸引して捕捉することが可能となる。従って、本発明の油圧制御装置では、オイルパンに流れ込んだ作動油中の異物をストレーナの濾材に達するまでに磁石の磁力により良好に捕捉することができる。
【０００９】
また、前記ストレーナの前記磁石が固定される部分は、磁性体により形成されたものであってもよい。これにより、磁石の磁力をストレーナの内部により強力に作用させて、ストレーナ内の作動油に含まれる金属粉といった異物を磁石の磁力でより強力に吸引して捕捉することが可能となる。
【００１０】
更に、前記ストレーナは、前記濾材を収容するハウジングを有してもよく、前記ハウジングの前記オイルパン側の部分は、該オイルパンと対向するように形成された凹部を含むものであってもよく、前記磁石は、前記凹部内に固定されてもよい。これにより、オイルパン内の作動油の流れを妨げるのを抑制しつつオイルパン内の作動油中の異物を磁石の磁力により吸引して捕捉することが可能となる。
【００１１】
また、前記凹部は、前記ハウジング内に突出する凸部を形成し、該凸部が前記ストレーナの前記濾材と当接してもよい。これにより、ハウジング内で凸部によって濾材を安定に支持すると共に、ハウジング内で濾材を支持するための専用の支持部の数を減らすことが可能となる。
【００１２】
更に、前記オイルパンへの作動油流入部と前記ストレーナの作動油入口とを結ぶ直線上に配置されるものであってもよい。これにより、オイルパン内の作動油中の異物を磁石の磁力によって極めて良好に吸引して捕捉することができる。
【図面の簡単な説明】
【００１３】
【図１】本発明の実施例に係る油圧制御装置２０を示す説明図である。
【図２】油圧制御装置２０の要部を示す断面図である。
【図３】オイルパン６０が取り外された状態にある油圧制御装置２０を下側から見た説明図である。
【図４】変形例に係る下側ハウジング７５Ｂを示す断面図である。
【図５】変形例に係る磁石４０Ｂを示す断面図である。
【発明を実施するための形態】
【００１４】
次に、本発明を実施するための形態を実施例を用いて説明する。
【実施例】
【００１５】
図１は、本発明の実施例に係る油圧制御装置２０を示す説明図である。実施例の油圧制御装置２０は、例えば、自動車に搭載された図示しないエンジンからの動力を駆動軸（プロペラシャフト）に伝達する自動変速機やデファレンシャルギヤ等と共に動力伝達装置を構成するものであり、自動変速機の変速制御等に用いられる。実施例の油圧制御装置２０は、図示しない複数の油路を有するバルブボディ２１と、このバルブボディ２１に組み込まれて当該バルブボディ２１の油路と共に油圧回路を構成する複数のソレノイドバルブ３０と、自動変速機の全体を制御するための図示しない制御モジュールと、磁性体である金属等の板材（例えば鋼板）からなると共に作動油（ＡＴＦ）を貯留するオイルパン６０と、オイルポンプ２５によりオイルパン６０から吸引される作動油を濾過して自動変速機やデファレンシャルギヤ等で生じる金属粉といった異物等を除去するストレーナ７０等とを備える。
【００１６】
バルブボディ２１には、図１に示すように、それぞれソレノイドバルブ３０が挿入されると共に対応したソレノイドバルブ３０の弁部とバルブボディ２１内の油路とを連通させる複数のバルブ挿入部２２や、それぞれ対応した油圧スイッチと連通する複数の油圧導入孔（図示省略）、パーキングシリンダが挿入されるシリンダ挿入部（図示省略）等が形成されている。
【００１７】
ソレノイドバルブ３０には、図示しないエンジンにより駆動されるオイルポンプ２５によって発生された油圧（ライン圧）を調圧して自動変速機の図示しない複数のクラッチ（ブレーキ）側に送出するリニアソレノイドバルブと、作動油の供給先の切替を行う図示しないリレーバルブに駆動用の圧力信号を出力するオンオフソレノイドバルブとが含まれる。また、各ソレノイドバルブ３０には、制御モジュールと電気的接続に供される図示しないバルブ側コネクタが取り付けられている。制御モジュールは、要求された変速状態が実現されるようにソレノイドバルブ３０等（油圧回路）を駆動制御する。
【００１８】
ストレーナ７０は、ハウジング７１と、ハウジング７１の内部に収容されて作動油を濾過可能なスクリーン（濾材）７２とを含み、バルブボディ２１とオイルパン６０との間に配置される。ハウジング７１は、図１に示すように、それぞれ磁性体である金属等の板材（例えば鋼板）により形成された上側ハウジング７３と下側ハウジング７５とからなる。上側ハウジング７３は、図示しないボルトによりバルブボディ２１に締結されると共にバルブボディ２１に形成された作動油吸引口２１ｉに嵌合される作動油出口７３ｏを有する。なお、上側ハウジング７３は、非磁性体である樹脂等により形成されてもよい。また、バルブボディ２１の作動油吸引口２１ｉは、所定の油路を介してオイルポンプ２５の吸入口に接続される。
【００１９】
ハウジング７１の底部を形成する下側ハウジング７５には、オイルパン６０側に開口してハウジング７１の内部とオイルパン６０の内部とを連通させる作動油入口７５ｉが形成されている。更に、下側ハウジング７５には、図１および図２に示すように、ハウジング７１内に凸部７５ｂを形成すると共にオイルパン６０の底面と対向するように複数（実施例では３個）の凹部７５ａが形成されている。そして、各凹部７５ａには、各１個（合計３個）の磁石（永久磁石）４０が固定される。実施例において、各磁石４０は、凹部７５ａの深さ以下の高さを有し、凹部７５ａの底面（図中上面）に吸着すると共に当該凹部７５ａからオイルパン６０側に突出しないように下側ハウジング７５に対して配置される。これにより、磁石４０によってオイルパン６０内の作動油の流れが妨げられることを抑制することができる。また、各凹部７５ａは、ハウジング７１内に形成される凸部７５ｂがスクリーン７２と当接するように下側ハウジング７５に形成される。これにより、ハウジング７１内で各凸部７５ｂによってスクリーン７２を安定に支持すると共に、ハウジング７１内でスクリーン７２を支持するための専用の支持部の数を減らすことが可能となる。
【００２０】
そして、実施例において、下側ハウジング７５の複数の凹部７５ａおよび複数の磁石４０は、オイルパン６０内の作動油の流量が比較的多い位置に配置される。図３は、オイルパン６０を外した状態にある油圧制御装置２０を下側から見た説明図である。同図に示すように、実施例の油圧制御装置２０では、オイルパン６０の図中右側よりも図中左側に多くの作動油流入部５０が設けられており、オイルパン６０に対しては、図３における右側に比べて左側から多くの作動油が流入する。このため、図１および図３に示すように、ストレーナ７０の作動油入口７５ｉは、下側ハウジング７５の図中左端側に寄せて配置される。そして、下側ハウジング７５の複数の凹部７５ａおよび複数の磁石４０は、作動油流入部５０の中心（孔の中心）とストレーナ７０の作動油入口７５ｉの中心とを結んだ直線（図３における一点鎖線参照）上に位置するように配置される。
【００２１】
上述のように構成された油圧制御装置２０を備えた自動変速機が作動する際には、当該自動変速機に接続されたエンジンが運転されることによりオイルポンプ２５が駆動され、このオイルポンプ２５により、図１中の実線矢印に示すように、オイルパン６０から作動油がストレーナ７０の作動油入口７５ｉ、スクリーン７２、作動油出口７３ｏ等を介して吸引され、バルブボディ２１の油路やソレノイドバルブ３０等により形成される油圧回路等に供給される。そして、油圧回路等で使用された作動油は、作動油流入部５０からオイルパン６０内へと再び還流される。
【００２２】
こうしてオイルパン６０に還流される作動油には、金属粉等の異物が混入していることがあるが、実施例の油圧制御装置２０では、ストレーナ７０の下側ハウジング７５に形成された凹部７５ａ内に固定された複数の磁石４０の磁力によりオイルパン６０内で作動油中の金属粉といった異物を吸引して捕捉することができる。また、各磁石４０は、オイルパン６０の作動油の流量が比較的多い位置に配置されるため、オイルパン６０内の作動油中の異物を磁石４０の磁力でより良好に吸引して捕捉することが可能となる。更に、実施例の油圧制御装置２０において、各磁石４０の磁力は、オイルパン６０内のみならず、下側ハウジング７５の凹部７５ａの裏側、すなわち、ハウジング７１内に形成された凸部７５ｂ側にも作用する。従って、オイルパン６０からストレーナ７０内に吸引された作動油に金属粉等の異物が含まれていたとしても、オイルパン６０側からハウジング７１内に作用する磁石４０の磁力によりハウジング７１内を流れる作動油中の異物も吸引・捕捉することができる。
【００２３】
以上説明したように、実施例の油圧制御装置２０では、オイルパン６０からの作動油を濾過するためのストレーナ７０すなわち下側ハウジング７５のオイルパン６０側の面（オイルパン６０と対向する面）に、複数の磁石４０が固定される。これにより、オイルパン６０に流れ込んだ作動油中に含まれる金属粉といった異物を磁石４０の磁力でより良好に吸引して捕捉することができる。また、上記実施例では、ストレーナ７０の磁石４０が固定される部分である下側ハウジング７５が磁性体である金属により形成されているので、各磁石４０の磁力をハウジング７１の内部により強力に作用させて、ハウジング７１内の作動油に含まれる金属粉といった異物を磁石の磁力でより強力に吸引して捕捉することが可能となる。
【００２４】
更に、濾材としてのスクリーン７２を収容するハウジング７１の底部すなわちオイルパン６０側の部分を形成する下側ハウジング７５には、ハウジング７１内に凸部７５ｂを形成すると共にオイルパン６０と対向するように複数の凹部７５ａが形成されており、磁石４０は、各凹部７５ａ内に固定される。これにより、オイルパン６０内の作動油の流れを妨げるのを抑制しつつオイルパン６０内の作動油中の異物を磁石の磁力により吸引して捕捉することが可能となる。ただし、磁石４０は、若干であれば、凹部７５ａからオイルパン６０の底面側に突出していてもよい。
【００２５】
また、上記実施例では、各凹部７５ａは、ハウジング７１内の各凸部７５ｂが濾材としてのスクリーン７２と当接するように下側ハウジング７５に形成される。これにより、ハウジング７１内で各凸部７５ｂによってスクリーン７２を安定に支持すると共に、ハウジング７１内でスクリーン７２を支持するための専用の支持部の数を減らすことが可能となる。
【００２６】
更に、上記実施例では、複数の磁石４０がオイルパン６０内の作動油の流量が比較的多い位置、すなわちオイルパン６０への作動油の流入部である作動油流入部５０とストレーナ７０の作動油入口７５ｉとを結ぶ直線上に配置される。これにより、オイルパン６０内の作動油中の異物を各磁石４０の磁力によって極めて良好に吸引して捕捉することができる。
【００２７】
なお、上記実施例のように、ハウジング７１の底部すなわち下側ハウジング７５の全体を磁性体である金属等により形成する代わりに、下側ハウジング７５（ハウジング７１）の凹部７５ａのみを磁性体である金属等により形成してもよい。ただし、下側ハウジング７５の凹部７５ａが樹脂等の非磁性体で形成されている場合であっても、磁石４０の磁力が下側ハウジング７５の内側の面にも作用する場合には、ハウジング７１内の作動油に含まれる金属粉といった異物も磁石４０の磁力により吸引して捕捉することが可能となる。また、ストレーナ７０のオイルパン６０側の面に配置される磁石４０の数は、作動油中に含まれる金属粉といった異物を磁石４０の磁力で充分に補足できれば３個未満であってもよく、４個以上の磁石４０をストレーナ７０のオイルパン６０側の面に配置してもよい。
【００２８】
更に、ストレーナ７０は、図４に示すように、凸部７５ｂの近傍に形成された凹部７５ｃを有する下側ハウジング７５Ｂを含むものであってもよい。これにより、凸部７５ｂ付近で磁石４０により吸引された作動油中の異物を凹部７５ｃ内に留めておくことが可能となり、ストレーナ７０からオイルポンプ２５により吸引される作動油に異物が残留するのを良好に抑制することができる。また、図５に示すように、下側ハウジング７５の凹部７５ａの底面（図中上面）からオイルパン６０の底面までの長さに一致する高さを有する磁石４０Ｂを用いて、磁石４０Ｂの磁力によりストレーナ７０をオイルパン６０に固定してもよい。これにより、磁石４０Ｂによってオイルパン６０内で作動油中の金属粉といった異物をより強力に吸引して捕捉すると共に、ボルト等の締結具を用いてストレーナ７０をバルブボディ２１に締結することなくストレーナ７０を磁石４０Ｂの磁力によりオイルパン６０すなわち油圧制御装置２０に対して強固に固定することが可能となる。この場合、オイルパン６０およびストレーナ７０の底部（下側ハウジング７５）の双方を磁性体である金属等により形成すると好ましいが、オイルパン６０およびストレーナ７０の底部（下側ハウジング７５の何れか一方は樹脂等の非磁性体により形成されてもよく、その場合には、磁石４０Ｂをオイルパン６０およびストレーナ７０の底部の何れか一方に固定（接着）して他方に吸着させればよい。また、図５に示すような磁石４０Ｂを採用する場合には、複数の磁石４０Ｂをオイルパン６０への作動油の流入部である作動油流入部５０とストレーナ７０の作動油入口７５ｉとを結ぶ直線を挟むように配置するとよい。これにより、複数の磁石４０Ｂ間に形成される磁界により作動油中の金属粉といった異物を吸引して捕捉することができる。
【００２９】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３０】
本発明は、油圧制御装置の製造産業に利用可能である。
【符号の説明】
【００３１】
２０  油圧制御装置、２１  バルブボディ、２１ｉ  作動油吸引口、２２  バルブ挿入部、２５  オイルポンプ、３０  ソレノイドバルブ、４０，４０Ｂ  磁石、５０  作動油流入部、６０  オイルパン、７０  ストレーナ、７１  ハウジング、７２  スクリーン、７３  上側ハウジング、７３ｏ  作動油出口、７５，７５Ｂ  下側ハウジング、７５ａ，７５ｃ  凹部、７５ｂ  凸部、７５ｉ  作動油入口。
【図１】
2011208779.tif 000003
【図２】
2011208779.tif 000004
【図３】
2011208779.tif 000005
【図４】
2011208779.tif 000006
【図５】
2011208779.tif 000007